(57)【要約】【課題】室内熱交換器と室内ファンとを備える空気調和装置において、室内熱交換器に付着している結露水が室内ファンの発生する気流によって吹き飛ばされるのを抑制する。【解決手段】空気調和装置１０は、冷房運転モード及び除湿運転モードにおいて、冷却器として機能する室内熱交換器３１と、ケーシング１００の吹出口１５１から吹出される空気の上下方向の角度を調整するように設置されている上下風向調整羽根である第１水平フラップ１６１とを備を備えている。空気調和装置１０は、第１水平フラップ１６１を固定させるときの下限に位置する風向固定下限ポジションＦＤＰ１よりも、上下風向調整羽根をスイングさせるときの下限に位置するスイング下限ポジションの方が、水平方向に対する角度が大きくなるように構成されている。【選択図】図７
2019173995.tif 000002
【特許請求の範囲】
【請求項１】
吸込口と吹出口を有するケーシング（１００）と、
前記ケーシングの中に配置され、室内空気を前記吸込口から吸い込んで前記吹出口から吹出させるように設置されている室内ファン（３２）と、
前記ケーシングの中の前記室内ファンの上流に配置され、前記室内ファンを通過する前の空気を冷却するように設置されている冷却器（３１）と、
前記ケーシングの前記吹出口から吹出される空気の上下方向の角度を調整するように設置されている上下風向調整羽根（１６１）と
を備え、
前記上下風向調整羽根を固定させるときの下限に位置する風向固定下限ポジションよりも、前記上下風向調整羽根をスイングさせるときの下限に位置するスイング下限ポジションの方が、水平方向に対する角度が大きくなるように構成されている、空気調和装置。
【請求項２】
前記上下風向調整羽根は、水平方向に対する角度が大きくなるほど前記吸込口から吸い込まれる風量が多くなるように設けられている、
請求項１に記載の空気調和装置。
【請求項３】
前記ケーシングは、運転時に前記吸込口の前に配置されるように構成されている前面パネル（１２０）を有し、
前記上下風向調整羽根は、水平方向に対する角度が大きくなるほど、前記前面パネルの裏側を通って前記吸込口に繋がる通風路の開口を通過する風量が多くなるように設けられている、
請求項２に記載の空気調和装置。
【請求項４】
前記上下風向調整羽根は、水平方向に対する角度が大きくなるほど、前記前面パネルからの距離が大きくなるように構成されている、
請求項３に記載の空気調和装置。
【請求項５】
前記冷却器は、通過する空気の加熱と冷却との切り換えに対応できるように構成されている室内熱交換器（３１）を含み、
前記室内熱交換器によって通過する空気を加熱する暖房運転時においては、前記風向固定下限ポジションと前記スイング下限ポジションとが同じかまたは前記スイング下限ポジションよりも前記風向固定下限ポジションの方が水平方向に対する角度が大きくなるように構成されている、
請求項１から４のいずれか一項に記載の空気調和装置。
【発明の詳細な説明】
【技術分野】
【０００１】
室内ファンと冷却器とを備える空気調和装置。
【背景技術】
【０００２】
従来の空気調和装置では、例えば特許文献１（特開２０１４−１４９１４０号公報）に記載されているように、空気調和装置において、通常は、上下風向調整羽根によって吹出口から吹き出される気流の上下方向を調整する。
【発明の概要】
【発明が解決しようとする課題】
【０００３】
特許文献１に記載されているように、室内ファンが発生する気流によって、室内熱交換器に付着している結露水が吹き飛ばされる場合がある。
【０００４】
つまり、室内熱交換器と室内ファンとを備える空気調和装置においては、室内熱交換器に付着している結露水が室内ファンの発生する気流によって吹き飛ばされるのを抑制するという課題がある。
【課題を解決するための手段】
【０００５】
第１観点の空気調和装置は、吸込口と吹出口を有するケーシングと、ケーシングの中に配置され、室内空気を吸込口から吸い込んで吹出口から吹出させるように設置されている室内ファンと、ケーシングの中の室内ファンの上流に配置され、室内ファンを通過する前の空気を冷却するように設置されている冷却器と、ケーシングの吹出口から吹出される空気の上下方向の角度を調整するように設置されている上下風向調整羽根とを備え、上下風向調整羽根を固定させるときの下限に位置する風向固定下限ポジションよりも、上下風向調整羽根をスイングさせるときの下限に位置するスイング下限ポジションの方が、水平方向に対する角度が大きくなるように構成されている。
【０００６】
このような構成の空気調和装置では、風向固定下限ポジションよりもスイング下限ポジションの方が水平方向に対する角度が大きくなるように構成されることで、風向固定下限ポジションがスイング下限ポジションと同じかまたはスイング下限ポジションよりも水平方向に対する角度が大きくなるように構成される場合に比べて、室内ファンの結露の発生を抑制しても上下風向調整羽根のスイングする範囲を大きく設定することができる。
【０００７】
第２観点の空気調和装置は、第１観点の空気調和装置であって、上下風向調整羽根は、水平方向に対する角度が大きくなるほど吸込口から吸い込まれる風量が多くなるように設けられている、ものである。
【０００８】
このような構成の空気調和装置では、風向固定下限ポジションがスイング下限ポジションと同じかそれより水平に近い位置にある場合に比べて、風向固定下限ポジションに上下風向調整羽根が位置する場合に吸い込まれる風量が少なくなるので、風向固定下限ポジションでの室内ファンの結露を抑制することができる。
【０００９】
第３観点の空気調和装置は、第２観点の空気調和装置であって、ケーシングは、運転時に吸込口の前に配置されるように構成されている前面パネルを有し、上下風向調整羽根は、水平方向に対する角度が大きくなるほど、前面パネルの裏側を通って吸込口に繋がる通風路の開口を通過する風量が多くなるように設けられている、ものである。
【００１０】
このような構成の空気調和装置では、前面パネルと上下風向調整羽根の間の開口が大きくなるほど、前面パネルの裏側を通って吸込口に繋がる通風路を通過する風量が多くなるので、風向固定下限ポジションによって開口の大きさが抑制されることにより吸込口に吸い込まれる風量を抑制することができる。
【００１１】
第４観点の空気調和装置は、第３観点の空気調和装置であって、上下風向調整羽根は、水平方向に対する角度が大きくなるほど、前面パネルからの距離が大きくなるように構成されている、ものである。
【００１２】
第５観点の空気調和装置は、第１観点から第４観点のいずれかの空気調和装置であって、冷却器は、通過する空気の加熱と冷却との切り換えに対応できるように構成されている室内熱交換器を含み、室内熱交換器によって通過する空気を加熱する暖房運転時においては、風向固定下限ポジションとスイング下限ポジションとが同じかまたはスイング下限ポジションよりも風向固定下限ポジションの方が水平方向に対する角度が大きくなるようになるように構成されている、ものである。
【００１３】
このような構成の空気調和装置では、暖房時には結露が発生しないので、風向固定下限ポジションをスイング下限ポジションのところまでまたはそれよりも下まで下げることができ、暖房時に下方に吹出すときの角度を大きくとることができ、暖房時に所望の方向に風向を向け易くなる。
【図面の簡単な説明】
【００１４】
【図１】実施形態に係る空気調和装置の構成の概要を示す冷媒回路図。
【図２】空気調和装置の制御系統を示すブロック図。
【図３】空気調和装置の室内ユニットを示す斜視図。
【図４】空気調和装置の室内ユニットの断面図。
【図５】風向固定下限ポジション及びスイング下限ポジションを説明するための室内ユニットの部分拡大図。
【図６】スイング下限ポジションに在る第１水平フラップ及び第２水平フラップを示す部分拡大図。
【図７】風向固定下限ポジションに在る第１水平フラップ及び第２水平フラップを示す部分拡大図。
【図８】風向固定下限ポジションの設定操作の一例を示すフローチャート。
【発明を実施するための形態】
【００１５】
（１）構成の概要
空気調和装置１０は、図４に示されているように、ケーシング１００と、冷却器である室内熱交換器３１と、室内ファン３２と、上下風向調整羽根である第１水平フラップ１６１及び第２水平フラップ１６２とを備えている。ケーシング１００は、吹出口１５１と吸込口１５２とを有する。室内ファン３２は、ケーシング１００の中に配置されている。この室内ファン３２は、室内空気を吸込口１５２から吸い込んで吹出口１５１から吹出させるようにケーシング１００に設置されている。室内熱交換器３１は、ケーシング１００の中の室内ファン３２の上流に配置されている。室内熱交換器３１は、冷房運転時に、室内ファン３２を通過する前の空気を冷却する冷却器として機能するように設置されている。上下風向調整羽根である第１水平フラップ１６１は、ケーシング１００の吹出口１５１から吹出される空気の上下方向の角度を調整するように、ケーシング１００に設置されている。
【００１６】
後ほど詳細に説明するが、空気調和装置１０は、第１水平フラップ１６１を固定させるときの下限に位置する風向固定下限ポジションよりも、第１水平フラップ１６１をスイングさせるときの下限に位置するスイング下限ポジションの方が、水平方向に対する角度が大きくなるように構成されている。
【００１７】
（２）全体構成
図１に示されている空気調和装置１０は、室外ユニット２０と室内ユニット３０とが冷媒連絡管１２，１３で接続されて形成された冷媒回路１１を含んでいる。冷媒回路１１には、室外ユニット２０が備えている圧縮機２１と四路切換弁２２と室外熱交換器２３と膨張弁２４とアキュムレータ２５と閉鎖弁２６，２７及び、室内ユニット３０が備えている室内熱交換器３１が接続されている。空気調和装置１０は、蒸気圧縮式冷凍サイクルにより、冷房運転及び暖房運転を選択的に行うことができる構成になっている。冷房運転及び暖房運転が行われるときには閉鎖弁２６，２７は開いた状態になっている。四路切換弁２２は、冷房運転モード及び除湿運転モードでは、実線で示された接続状態になり、暖房運転モードでは、破線で示された接続状態になる。
【００１８】
（２−１）冷房運転モードにおける冷媒の循環
冷房運転モードで運転されているときには、圧縮機２１で圧縮されたガス冷媒が、四路切換弁２２を通って室外熱交換器２３に送られる。この冷媒は、室外熱交換器２３で室外空気に放熱し、膨張弁２４で減圧されて膨張し、閉鎖弁２６及び冷媒連絡管１２を通って室内熱交換器３１に送られる。膨張弁２４から送られてきた低温低圧の冷媒は、室内熱交換器３１で熱交換を行って室内空気から熱を奪う。室内熱交換器３１で熱交換を終えたガス冷媒または気液二相の冷媒は、冷媒連絡管１３、閉鎖弁２７、四路切換弁２２及びアキュムレータ２５を通って圧縮機２１に吸入される。室内熱交換器３１で熱を奪われた調和空気が室内ユニット３０から室内に吹出されることにより、室内の冷房が行われる。なお、除湿運転モードで運転されているときも、冷媒が冷媒回路１１を、冷房運転モードで運転されているときと同様に循環する。冷房運転モード及び除湿運転モードでは、室内熱交換器３１の温度が室温より低くなって、室内熱交換器３１で結露を生じる。
【００１９】
（２−２）暖房運転モードにおける冷媒の循環
暖房運転モードで運転されている時には、圧縮機２１で圧縮されたガス冷媒が、四路切換弁２２、閉鎖弁２７及び冷媒連絡管１３を通って室内熱交換器３１に送られる。この冷媒は、室内熱交換器３１で室内空気と熱交換を行って室内空気に熱を与える。室内熱交換器３１で熱交換を行った冷媒は、冷媒連絡管１２及び閉鎖弁２６を通って膨張弁２４に送られる。膨張弁２４で減圧されて膨張した低温低圧の冷媒は、室外熱交換器２３に送られ、室外熱交換器２３で熱交換を行って室外空気から熱を得る。室外熱交換器２３で熱交換を終えたガス冷媒または気液二相の冷媒は、四路切換弁２２及びアキュムレータ２５を通って圧縮機２１に吸入される。室内熱交換器３１で熱を与えられた調和空気が室内ユニット３０から室内に吹出されることにより、室内の暖房が行われる。
【００２０】
（２−３）送風運転モード
送風運転モードで運転されている時には、圧縮機２１が実質的に停止されており、室内熱交換器３１では、室内の暖房及び冷房のための熱交換が実質的に停止された状態にある。送風運転モードでは、吸込口１５２から吸い込まれた室内空気は、温度の変化を生じることなく、室内ファン３２によって吹出口１５１から吹出される。このような送風運転モードでは、室内ファン３２における結露が問題となることがない。
【００２１】
（２−４）室外空気及び室内空気の流れ
室外ユニット２０が室外ファン２８を備え、室内ユニット３０が室内ファン３２を備えている。室外ファン２８は、冷房運転モード、暖房運転モード及び除湿運転モードにおいて、室外熱交換器２３での室外空気と冷媒との熱交換を促進するために、室外空気を室外熱交換器２３に供給する。言い換えると、室外ファン２８の羽根が回転することにより、室外から室外熱交換器２３に向って流れる室外空気の気流が発生する。
【００２２】
また、室内ファン３２は、冷房運転モード、暖房運転モード及び除湿運転モードにおいて、室内熱交換器３１での室内空気と冷媒との熱交換を促進するとともに熱交換後の調和空気を室内に供給するために、室内から室内熱交換器３１に向って流れる室内空気の気流を発生する。
【００２３】
室内ユニット３０は、内部から調和空気を吹き出すための吹出口１５１と、室内空気を内部に取り込むための吸込口１５２とを有している。また、室内ユニット３０は、吸込口１５２に設けられているエアフィルタ１３０を備えている。このエアフィルタ１３０は、室内熱交換器３１の上流に配置されている。
【００２４】
室内ファン３２が駆動されると、吸込口１５２を通って室内ユニット３０の中に室内空気が流入する。図１においては、矢印Ａｒ１が吸込口１５２に吸い込まれる室内空気の流れを象徴している。室内空気は、吸込口１５２を通過して室内ユニット３０に取り込まれるときにエアフィルタ１３０を通過する。エアフィルタ１３０を通過した室内空気は、室内熱交換器３１で熱交換されることによって調和空気になる。調和空気は、室内熱交換器３１から室内ファン３２を通って吹出口１５１から吹出される。図１においては、矢印Ａｒ２が吹出口１５１から吹出される調和空気の流れを象徴している。
【００２５】
室外ファン２８及び室内ファン３２は、ファンモータ２８ｍ，３２ｍによって駆動される。ファンモータ２８ｍ、３２ｍは、回転数を変更できるように構成されている。本実施形態では、室外ファン２８の羽根及び室内ファン３２の羽根がファンモータ２８ｍ、３２ｍの回転軸に取り付けられており、ファンモータ２８ｍ，３２ｍの回転数と室外ファン２８及び室内ファン３２の回転数が一致する。しかし、ファンモータ２８ｍ，３２ｍの回転数と室外ファン２８及び室内ファン３２の回転数が一致しないように構成することもできる。室外ファン２８のファンモータ２８ｍは、室外制御装置９１によって制御されている。室内ファン３２のファンモータ３２ｍは、室内制御装置９２によって制御されている。また、圧縮機２１は、圧縮機モータ２１ｍによって駆動され、運転周波数を変更できるように構成されている。圧縮機２１、四路切換弁２２及び膨張弁２４も室外制御装置９１によって制御されている。
【００２６】
（２−５）制御系統
上述の室外制御装置９１と室内制御装置９２は、互いに接続されており、互いに協働して空気調和装置１０を制御する空調制御装置９０として機能する。図２には、空気調和装置１０の制御系統の概要が示されている。室外ユニット２０の電装品ボックス（図示せず）に設置されている室外制御装置９１及び各室内ユニット３０の各電装品ボックス（図示せず）に設置されている室内制御装置９２が、ハーネスなどの配線によって接続されて空調制御装置９０が構成されている。
【００２７】
室外制御装置９１は、ＣＰＵ９１１及びメモリ９１２を含んで構成されている。また、室内制御装置９２は、ＣＰＵ９２１及びメモリ９２２を含んで構成されている。メモリ９１２，９２２には、室外ユニット２０及び室内ユニット３０を制御するためのプログラム及びデータが記述されている。ＣＰＵ９１１，９２１は、メモリ９１２，９２２に記述されているプログラムを実行することにより、空気調和装置１０を構成している複数の機器を制御するための信号を生成する。さらに、室内制御装置９２には、ユーザが操作入力するリモートコントローラ９９の指令を受け付ける受信部３９が接続されている。
【００２８】
室内ユニット３０には、調和空気の吹出方向を変える第１水平フラップ１６１及び第２水平フラップ１６２並びに垂直フラップ１６３（図４参照）が設けられている。そして、室内ユニット３０には、これら第１水平フラップ１６１及び第２水平フラップ１６２並びに垂直フラップ１６３を駆動するステッピングモータ１７１，１７２，１７３のドライバ（図示せず）、及び運転モードなどを表示する表示部３８（図３参照）などが設けられている。
【００２９】
空調制御装置９０には、種々のセンサの検出値が入力され、これらの値に基づいて空気調和装置１０の冷房運転、暖房運転及び除湿運転の制御が行われる。図１及び図２には、空気調和装置１０に設置されている種々のセンサのうちの室内温度センサ５１が示され、他のセンサについての記載は省略されている。
【００３０】
室内温度センサ５１は、室内ユニット３０の吸込口１５２の下流であって、室内熱交換器３１の上流に配置されている。室内温度センサ５１は、吸込口１５２から吸い込まれる空気の温度を検知することにより、室温を検知する。空調制御装置９０は、サーモオンとサーモオフを繰り返したり圧縮機２１の運転周波数及び室外ファン２８の回転数を変更したりするなどにより、室内温度センサ５１が検知した室温を設定温度に近づける制御を行う。
【００３１】
（３）室内ユニット３０の構成
（３−１）室内ユニット３０の外観及び断面
図３には、運転時の室内ユニット３０の外観が示されている。室内ユニット３０は、室内機本体１１０と、室内機本体１１０の前面１１１を覆う前面パネル１２０とを備えている。室内ユニット３０は、壁掛けタイプであり、壁面ＷＡに取り付けられている。この室内ユニット３０では、室内機本体１１０の後面１１２が、壁面ＷＡに固定されている。
【００３２】
室内ユニット３０の吹出口１５１は、前面パネル１２０が取り付けられている室内機本体１１０の前面下部に配置されている。この吹出口１５１は、水平方向に沿って長く延びている。
【００３３】
図４には、吹出口１５１の長手方向に対して垂直な平面で切断した、室内ユニット３０の断面構造が示されている。前面パネル１２０は、モータによって自動的に移動するように構成されている。室内ユニット３０が停止しているときは、吹出口１５１の前方が、前面パネル１２０によって覆い隠され、吹出口１５１の下方が、第１水平フラップ１６１で覆い隠される。従って、室内ユニット３０が停止しているときには、室内機本体１１０の内部の複雑な構造が吹出口１５１を通してユーザに露呈されることがないので、室内ユニット３０が良好な外観意匠を呈する。
【００３４】
運転開始前に前面パネル１２０が室内機本体１１０の前面１１１の前方上方へ移動し、吹出口１５１の前方を開放する。その後、室内機本体１１０の下部に位置する第１水平フラップ１６１が時計方向に１８０°回動して図４に示されている位置に移動し、吹出口１５１の下部を開放する。
【００３５】
室内ユニット３０は、外郭を形成するケーシング１００、調和空気の吹出方向を調整する第１水平フラップ１６１、第２水平フラップ１６２、垂直フラップ１６３及びエアフィルタ１３０を備えている。前述の前面パネル１２０及び室内機本体１１０の前面１１１は、ケーシング１００に含まれる。また、室内ユニット３０が備えている室内熱交換器３１、室内ファン３２は、ケーシング１００の内部に収容されている。
【００３６】
（３−２）室内ユニット３０の各構成部の配置
図４に示されているように、室内機本体１１０の天面１１３及び前面１１１に、吸込口１５２が配置されている。さらに、室内機本体１１０の下面１１４と前面１１１との境界部分に、吹出口１５１が配置されている。
【００３７】
室内熱交換器３１は、吹出口１５１の長手方に見てΛ型の形状を呈し、室内機本体１１０の前面１１１と後面１１２と天面１１３の近くに配置されている。また、室内熱交換器３１の長さは、吹出口１５１の長手方向の長さに合わせて設定されている。そして、吹出口１５１の長さ方向において、吹出口１５１と室内熱交換器３１とが実質的に一致するように配置されている。室内熱交換器３１と吹出口１５１の間に室内ファン３２が配置されている。室内ファン３２は、例えばクロスフローファンであり、室内熱交換器３１の長さに近いかまたは一致する長さを持っている。
【００３８】
また、室内熱交換器３１と吸込口１５２の間に、空気中の塵埃などを除去するために、室内熱交換器３１の上方及び前方を覆うように、エアフィルタ１３０が配置されている。第１水平フラップ１６１及び第２水平フラップ１６２は、吹出口１５１に配置されている。垂直フラップ１６３は、室内ファン３２と第１水平フラップ１６１及び第２水平フラップ１６２との間に配置されている。
【００３９】
吸込口１５２から吸い込まれた室内空気は、まず、エアフィルタ１３０を通過して塵埃などを除去される。室内空気は、次に、エアフィルタ１３０の下流に配置されている室内熱交換器３１を通過する。室内熱交換器３１は、例えばフィンアンドチューブ式の熱交換器である。室内熱交換器３１の多数の伝熱フィンの間を通過する室内空気が、伝熱フィンを貫通している伝熱管の中を流れる冷媒と熱交換する。室内熱交換器を通過して調和された調和空気は、室内熱交換器３１の下流に配置されている室内ファン３２によって、さらに下流に位置する吹出口１５１に向けて押し出される。調和空気は、吹出口１５１から吹出されるときに、水平面に対する吹出し角度を、第１水平フラップ１６１及び第２水平フラップ１６２によって調整される。また、調和空気は、吹出口１５１から吹出されるときに、吹出口１５１の長手方向と直交する鉛直面に対する吹出し角度を、垂直フラップ１６３によって調整される。
【００４０】
（４）室内ファン３２の結露抑制に係わる第１水平フラップ１６１の動作設定
（４−１）冷房運転モード時の風向固定下限ポジション
次に、冷房運転モード時の室内ユニット３０に関して、室内ファン３２の結露を抑制するために設けられている、スイングについての動作設定と上下風向の風向固定についての動作設定との違いについて説明する。以下の説明では、第１水平フラップ１６１及び第２水平フラップ１６２の動作設定が重要であるので、垂直フラップ１６３の説明を省いて、主に第１水平フラップ１６１及び第２水平フラップ１６２の動作設定について説明する。また、第１水平フラップ１６１及び第２水平フラップ１６２の動作設定についても、室内ファン３２の結露抑制に係わる動作設定を中心に説明する。
【００４１】
図５には、上限ポジション並びに風向固定下限ポジション及びスイング下限ポジションに位置する第１水平フラップ１６１及び第２水平フラップ１６２を長手方向に見た状態が示されている。第１水平フラップ１６１について、第１水平フラップ１６１の前端部１６１ａ及び後端部１６１ｂを通る平面であって、第１水平フラップ１６１の下方を流れる空気流に沿う第１可動平面ＭＰ１を仮定する。この第１可動平面ＭＰ１は、第１水平フラップ１６１とともに回動する平面である。そして、この第１可動平面ＭＰ１が第１水平フラップ１６１の長手方向に対して直交する平面、つまり図面の紙面と交わってできる直線ＭＬ１１〜ＭＬ１３が図５に描かれている。同様に、第２水平フラップ１６２について、第２水平フラップ１６２の前端部１６２ａ及び後端部１６２ｂを通る平面であって、第２水平フラップ１６２の上下を流れる空気流に沿う第２可動平面ＭＰ２を仮定する。この第２可動平面ＭＰ２は、第２水平フラップ１６２とともに回動する平面である。そして、この第２可動平面ＭＰ２が第２水平フラップ１６２の長手方向に対して直交する平面、つまり図面の紙面と交わってできる直線ＭＬ２１〜ＭＬ２３が図５に描かれている。
【００４２】
第１水平フラップ１６１及び第２水平フラップ１６２をスイングさせるために、室内制御装置９２のＣＰＵ９２１は、メモリ９２２から読み出したプログラムに従って、ステッピングモータ１７１，１７２の正転と逆転を交互に繰り返すように制御する。その結果、第１水平フラップ１６１及び第２水平フラップ１６２は、回転中心ＣＡ１，ＣＡ２を中心に回動し、上限ポジションＵＰ１．ＵＰ２からスイング下限ポジションＳＤＰ１，ＳＤＰ２までの角度α１，α２の区間でそれぞれスイングする。ここでは、上限ポジションＵＰ１に在るときの第１可動平面ＭＰ１が実質的に水平面に一致している。直線ＭＬ１１が上限ポジションＵＰ１に対応し、直線ＭＬ１２がスイング下限ポジションＳＤＰ１に対応し、直線ＭＬ１３が風向固定下限ポジションＦＤＰ１に対応している。また、直線ＭＬ２１が上限ポジションＵＰ２に対応し、直線ＭＬ２２がスイング下限ポジションＳＤＰ２に対応し、直線ＭＬ２３が風向固定下限ポジションＦＤＰ２に対応している。
【００４３】
また、リモートコントローラ９９により、第１水平フラップ１６１及び第２水平フラップ１６２を固定する位置を入力することができる。例えば、「上限」、「上」、「中間」、「下」、「下限」の５段階に設定できる場合を例に挙げて考える。室内制御装置９２は、第１水平フラップ１６１及び第２水平フラップ１６２を、「上限」が選択されたときに取る上限ポジションＵＰ１，ＵＰ２から下限が選択されたときに取る風向固定下限ポジションＦＤＰ１，ＦＤＰ２までの角度β１，β２を二等分した「中間」のポジションに固定することができる。また、室内制御装置９２は、上限ポジションＵＰ１，ＵＰ２と「中間」のポジションの間に位置する「上」のポジションに、第１水平フラップ１６１及び第２水平フラップ１６２を固定することができ、また、風向固定下限ポジションＦＤＰ１，ＦＤＰ２と「中間」のポジションの間に位置する「下」のポジションに、第１水平フラップ１６１及び第２水平フラップ１６２を固定することができる。
【００４４】
例えば、ユーザがリモートコントローラ９９で「上限」を選択すると、第１水平フラップ１６１及び第２水平フラップ１６２を「上限」に設定する命令を、受信部３９がリモートコントローラ９９から受信する。さらに、「上限」に設定する命令を、室内制御装置９２が受信部３９から受信する。室内制御装置９２のメモリ９２２には、現在の第１水平フラップ１６１及び第２水平フラップ１６２のポジションが記憶されている。そこで、室内制御装置９２のＣＰＵ９２１は、現在のポジションと上限ポジションＵＰ１，ＵＰ２との角度差を計算し、計算で得た角度差だけ回転するように信号をステッピングモータ１７１，１７２に送信する。また、ユーザがリモートコントローラ９９で「下限」を選択すると、第１水平フラップ１６１及び第２水平フラップ１６２を「下限」に設定する命令を、上述の場合と同様に、室内制御装置９２が受信する。室内制御装置９２のメモリ９２２には、現在の第１水平フラップ１６１及び第２水平フラップ１６２のポジションが記憶されている。そこで、室内制御装置９２のＣＰＵ９２１は、現在のポジションと風向固定下限ポジションＦＤＰ１，ＦＤＰ２との角度差を計算し、計算で得た角度差だけ回転するように信号をステッピングモータ１７１，１７２に送信する。ユーザがリモートコントローラ９９で、他の「上」、「中間」、「下」を選択した場合も同様である。
【００４５】
図６には、第１水平フラップ１６１及び第２水平フラップ１６２がスイング下限ポジションＳＤＰ１，ＳＤＰ２に在る状態が示されている。第１水平フラップ１６１及び第２水平フラップ１６２がスイング下限ポジションＳＤＰ１，ＳＤＰ２に在るとき、矢印Ａｒ１で示されている通風路を通って、室内の暖かい空気が、吸込口１５２から吸い込まれる。このような暖かい空気が流れる通風路ができるのは、室内機本体１１０の前面１１１から前面パネル１２０までの距離Ｄ１が大きいからであり、また第１水平フラップ１６１から前面パネル１２０までの距離Ｄ２が大きいからである。第１水平フラップ１６１から前面パネル１２０までの距離が大きくなるほど、また室内機本体１１０の前面１１１から前面パネル１２０までの距離が大きくなるほど、前面パネル１２０の裏側を通って吸込口１５２に繋がる通風路の開口を通過する風量が多くなる。第１水平フラップ１６１と前面パネル１２０との間を通って、室内ファン３２までの距離が短い前面部分から室内の暖かい空気が室内ファン３２に向って流れ、室内熱交換器３１で十分に冷やされずに室内ファン３２の冷えた羽根に当たると、室内ファン３２の羽根で結露を生じ易くなる。
【００４６】
スイング下限ポジションＳＤＰ１に在る第１水平フラップ１６１から前面パネル１２０までの距離Ｄ２が大きいものの、第１水平フラップ１６１がスイングしているので、第１水平フラップ１６１から前面パネル１２０までの距離は、第１水平フラップ１６１が上限ポジションＵＰ１に近づくに従って小さくなる。このように第１水平フラップ１６１がスイングしている場合は、第１水平フラップ１６１がスイング下限ポジションＳＤＰ１に固定されている場合に比べて、第１水平フラップ１６１と前面パネル１２０との間を通って暖かい空気が吸込口１５２から吸い込まれる量は少なくなる。
【００４７】
もし、リモートコントローラ９９で「下限」が選択されたときに、第１水平フラップ１６１がスイング下限ポジションＳＤＰ１と同じポジションに固定されるような設定であると、室内から暖かい空気が吸込口１５２から吸い込まれる量が多くなって、室内ファン３２に結露が生じる可能性が大きくなる。そこで、第１水平フラップ１６１を固定させるときの下限に位置する風向固定下限ポジションＦＤＰ１よりも、第１水平フラップ１６１をスイングさせるときの下限に位置するスイング下限ポジションＳＤＰ１の方が、水平方向に対する角度が大きくなるように、つまりα１＞β１となるように構成されている。それにより、第１水平フラップ１６１から前面パネル１２０までの距離Ｄ３を距離Ｄ２よりも小さくすることができるので、スイング下限ポジションＳＤＰ１と同じポジションに固定される場合に比べて、室内から暖かい空気が吸込口１５２から吸い込まれる量を小さくすることができる。
【００４８】
なお、本実施形態では、第２水平フラップ１６２も、スイング下限ポジションＳＤＰ２から上限ポジションＵＰ２（直線ＭＬ２１）までの角度α２の方が、風向固定下限ポジションＦＤＰ２から上限ポジションＵＰ２までの角度β２よりも大きく設定されている場合について説明している。しかし、第２水平フラップ１６２の風向固定下限ポジションＦＤＰ２については、第１水平フラップ１６１と前面パネル１２０との間を通って暖かい空気が吸込口１５２から吸い込まれる量に与える影響が少ないので、スイング下限ポジションＳＤＰ２に一致させるように構成してもよい。
【００４９】
（４−２）風向固定下限ポジションに関する制御
図８には、風向固定下限ポジションの設定操作が示されている。室内ユニット３０の室内制御装置９２は、運転モードに応じて、風向固定下限ポジションの設定を変更する。室内制御装置９２は、風向固定下限ポジションの設定のために、例えば運転モードと風向固定下限ポジションの関係をテーブルとしてメモリ９２２に記憶している。室内制御装置９２のＣＰＵ９２１は、室内ユニット３０の運転モードを認識しているので、その認識している運転モードをテーブルに照らして風向固定下限ポジションの設定を行う。
【００５０】
この操作を図８のフローに従って順に説明する。室内制御装置９２は、運転モードが冷房運転モードであると判断された場合（ステップＳ１のＹｅｓ）、第１水平フラップ１６１及び第２水平フラップ１６２を固定する水平フラップ固定時の風向固定下限ポジションを、図５に示されている風向固定下限ポジションＦＤＰ１，ＦＤＰ２に設定する（ステップＳ２）。室内制御装置９２は、運転モードが冷房運転モードでないと判断された場合（ステップＳ１のＮｏ）、さらに運転モードが暖房運転モードまたは送風運転モードであるか否かを判断する（ステップＳ３）。運転モードが暖房運転モードまたは送風運転モードであると判断された場合（ステップＳ３のＹｅｓ）、室内制御装置９２は、第１水平フラップ１６１及び第２水平フラップ１６２を固定する水平フラップ固定時の風向固定下限ポジションを、図５に示されているスイング下限ポジションＳＤＰ１，ＳＤＰ２に一致させる（ステップＳ４）。
【００５１】
室内制御装置９２は、運転モードが暖房運転モードでも送風運転モードでもないと判断された場合（ステップＳ３のＮｏ）、さらに運転モードが除湿運転モードであるか否かを判断する（ステップＳ５）。運転モードが除湿運転モードであると判断された場合（ステップＳ５のＹｅｓ）、室内制御装置９２は、第１水平フラップ１６１及び第２水平フラップ１６２の風向固定下限ポジションを、図５に示されている風向固定下限ポジションＦＤＰ１，ＦＤＰ２に設定する（ステップＳ６）。そして、室内ユニット３０の運転が停止されるまで上述の操作を繰り返し（ステップＳ７のＮｏ）、運転が停止されれば上述の操作を終了する（ステップＳ７のＹｅｓ）。
【００５２】
ここでは、冷房運転モード、暖房運転モードと送風運転モード、除湿運転モードの順に運転モードを判断する場合について説明したが、運転モードを判断する順序はこのような順序に限られるものではない。また、ここでは、除湿運転モードについて風向固定下限ポジションを変更する場合について説明したが、例えば除湿運転モードがない場合などには、このような除湿運転モードに関する操作が省かれる。
【００５３】
（５）特徴
（５−１）
上記実施形態において、冷房運転モード及び除湿運転モードにおいては、室内熱交換器３１が、室内ファン３２を通過する前の空気を冷却するように設置されている冷却器である。この冷却器である室内熱交換器３１は、ケーシング１００の中の室内ファン３２の上流に配置されている。そして、第１水平フラップ１６１が、吸込口１５２の下方に配置され、ケーシング１００の吹出口１５１から吹出される空気の上下方向の角度を調整するように設置されている上下風向調整羽根である。
【００５４】
図６及び図７を用いて説明したように、例えば、冷房運転モードにおいて、第１水平フラップ１６１の風向固定下限ポジションＦＤＰ１よりもスイング下限ポジションＳＤＰ１の方が水平方向に対する角度が大きくなるように構成されている。つまり、α１＞β１である。このように構成されているので、冷房運転モードにおける風向固定下限ポジションがスイング下限ポジションＳＤＰ１と同じかまたはスイング下限ポジションＳＤＰ１よりも水平方向に対する角度が大きくなるように構成される場合に比べて、第１水平フラップ１６１と前面パネル１２０との間を通って室内から暖かい空気が吸込口１５２から吸い込まれる量を減らすことができる。その結果、室内ファン３２の結露の発生を抑制して第１水平フラップ１６１のスイングする範囲を大きくする設定することができる。
【００５５】
（５−２）
図６及び図７を用いて説明したように、水平方向に対する角度が大きくなるほど前面パネル１２０からの距離が大きくなり、吸込口１５２から吸い込まれる風量が多くなるように、上下風向調整羽根である第１水平フラップ１６１が設置されている。このような構成のために、もしも風向固定下限ポジションがスイング下限ポジションＳＤＰ１と同じかそれより水平に近い位置にある場合に比べて、風向固定下限ポジションＦＤＰ１に第１水平フラップ１６１が位置する場合に吸い込まれる風量が少なくなるので、風向固定下限ポジションＦＤＰ１での室内ファン３２の結露を抑制することができている。
【００５６】
（５−３）
第１水平フラップ１６１は、水平方向に対する角度が大きくなるほど、前面パネル１２０と第１水平フラップ１６１の間の開口が大きくなるように設置されている。例えば、前面パネル１２０から第１水平フラップ１６１までの距離Ｄ１（図６参照）の方が、前面パネル１２０から第１水平フラップ１６１までの距離Ｄ２（図７参照）よりも大きくなっている。このような構成では、前面パネル１２０と第１水平フラップ１６１の間の開口が大きくなるほど、前面パネル１２０の裏側を通って吸込口１５２に繋がる通風路（矢印Ａｒ１，Ａｒ２で示されている通風路）を通過する風量が多くなるので、風向固定下限ポジションＦＤＰ１によって開口の大きさが抑制されることにより吸込口１５２に吸い込まれる風量を抑制することができる。
【００５７】
（５−４）
図８を用いて説明したように、室内熱交換器３１によって通過する空気を加熱する暖房運転時においては、風向固定下限ポジションとスイング下限ポジションとが同じになるように構成されている（ステップＳ４）。暖房時には結露が発生しないので、風向固定下限ポジションをスイング下限ポジションＳＤＰ１のところまで下げることができ、暖房時に下方に吹出すときの角度を大きくとることができ暖房時に所望の方向に風向を向け易くなる。
【００５８】
（６）変形例
（６−１）変形例１Ａ
上記実施形態では、１台の室外ユニット２０に１台の室内ユニット３０が接続されるペアタイプの場合について説明したが、１台の室外ユニットに複数の室内ユニットが接続されるマルチタイプにも上記実施形態の技術を適用することができる。
【００５９】
（６−２）変形例１Ｂ
上記実施形態では、室内ユニット３０が壁掛け型の場合を例に挙げて説明したが、室内ユニット３０は壁掛け型に限られるものではない。室内ユニット３０は、例えば、天井設置型、天井吊り下げ型または床置き型であってもよい。
【００６０】
（６−３）変形例１Ｃ
上記実施形態では、上限ポジションＵＰ１のときに、第１水平フラップ１６１、つまり第１可動平面ＭＰ１が水平面に一致する場合について説明したが、本実施形態の技術が適用できる形態はこのような形態に限られるものではない。例えば、上限ポジションのときに、第１可動平面ＭＰ１が水平前方に対して上方または下方に所定の角を持つように構成されてもよい。
【００６１】
（６−４）変形例１Ｄ
上記実施形態では、暖房運転時に、風向固定下限ポジションとスイング下限ポジションとが同じになるように構成されている場合（ステップＳ４）について説明した。しかし、暖房運転時においては、スイング下限ポジションよりも風向固定下限ポジションの方が水平方向に対する角度が大きくなるように構成されてもよい。例えば、暖房運転時には、壁面ＷＡに沿わせて真下に吹出すことができるように、第１水平フラップ１６１の風向固定下限ポジションが鉛直下向きまたは鉛直下向きに近い角度まで大きくできるように構成されてもよい。さらには、第１水平フラップ１６１と前方水平方向とのなす角が９０度よりも大きくなるように暖房運転時における風向固定下限ポジションが設定されてもよい。
【００６２】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００６３】
１０  空気調和装置
２０  室外ユニット
３０  室内ユニット
３１  室内熱交換器（冷却器の例）
３２  室内ファン
１００  ケーシング
１２０  前面パネル
１６１  第１水平フラップ（上下風向調整羽根の例）
１６２  第２水平フラップ
１６３  垂直フラップ
【先行技術文献】
【特許文献】
【００６４】
【特許文献１】特開２０１４−１４９１４０号公報
【図１】
2019173995.tif 000003
【図２】
2019173995.tif 000004
【図３】
2019173995.tif 000005
【図４】
2019173995.tif 000006
【図５】
2019173995.tif 000007
【図６】
2019173995.tif 000008
【図７】
2019173995.tif 000009
【図８】
2019173995.tif 000010